(57)【要約】【課題】従来よりも少ない操作回数で、所望の表示形態への切り替えを行うことができるデジタルカメラの提供。【解決手段】    被写体像を撮像して画像信号を出力する撮像手段２と、画像信号に基づく撮像画像とともに情報画像を重畳表示する表示装置８，１０と、情報画像の表示形態を選択するための複数の操作スイッチ１６と、複数の表示形態に関する情報を、複数の操作スイッチ１６の操作に関連付けて記憶する記憶部７と、操作スイッチ１６の操作により、該操作に関連付けられた情報を記憶部７から読み出して、情報画像が読み出した情報に基づく表示形態となるように表示装置８，１０の表示を制御する制御手段５とを備える。【選択図】図１
2009200688.tif 000002
【特許請求の範囲】
【請求項１】
被写体像を撮像して画像信号を出力する撮像手段と、
前記画像信号に基づく撮像画像とともに情報画像を重畳表示する表示装置と、
前記情報画像の表示形態を選択するための複数の操作スイッチと、
複数の前記表示形態に関する情報を、前記複数の操作スイッチの操作に関連付けて記憶する記憶部と、
前記操作スイッチの操作により、該操作に関連付けられた前記情報を前記記憶部から読み出して、前記情報画像が前記読み出した情報に基づく表示形態となるように前記表示装置の表示を制御する制御手段とを備えたことを特徴とするデジタルカメラ。
【請求項２】
被写体像を撮像して画像信号を出力する撮像手段と、
前記画像信号に基づく撮像画像とともに情報画像を重畳表示する複数の表示装置と、
前記情報画像の表示形態を選択するための複数の操作スイッチと、
前記複数の表示装置に表示される前記情報画像の複数の表示形態に関する情報を、前記複数の操作スイッチの操作に関連付けて記憶する記憶部と、
前記操作スイッチの操作により、該操作に関連付けられた前記情報を前記記憶部から読み出して、該情報に基づく情報画像の表示形態となるように前記表示装置の表示を制御する制御手段とを備えたことを特徴とするデジタルカメラ。
【請求項３】
請求項１または２に記載のデジタルカメラにおいて、
ユーザの操作に基づいて、前記操作スイッチの操作に関連付けられた前記情報画像の表示形態に関する情報をマニュアル設定するための設定操作部と、
前記設定操作部により前記情報画像の表示形態に関する情報が設定されると、前記記憶部に記憶されている前記情報画像の表示形態に関する情報を、前記設定操作部により設定された前記情報画像の表示形態に関する情報に書き換える書き換え手段とを備えたことを特徴とするデジタルカメラ。
【請求項４】
請求項１〜３のいずれか一項に記載のデジタルカメラにおいて、
前記記憶部は、前記操作スイッチの操作回数に応じて異なる表示形態の情報を関連付けて記憶することを特徴とするデジタルカメラ。
【請求項５】
請求項１〜４に記載のデジタルカメラにおいて、
前記情報画像の表示形態には、撮影条件を示す表示、撮影を補助するための表示および被写体情報を示す表示の少なくとも一つが表示要素として含まれていることを特徴とするデジタルカメラ。
【発明の詳細な説明】
【技術分野】
【０００１】
本発明は、デジタルカメラに関する。
【背景技術】
【０００２】
従来、電子ビューファインダ（ＥＶＦ）や液晶表示素子（ＬＣＤ）などの表示装置を備えたデジタルカメラにおいては、ヒストグラムのような撮影条件を示す表示や、グリッド表示のような撮影補助表示等の撮影情報を、ライブビュー画像（撮影画像）に重畳表示するものが知られている（例えば、特許文献１参照）。
【０００３】
このようなデジタルカメラでは、表示画面に表示されている撮影情報の表示内容を切り替える場合、ユーザが切り替え用の操作部材を操作する度に表示内容が順に切り替わる。そのため、撮影情報の種類が増えると、所望の撮影情報を表示させる際の操作部の操作回数が多くなるという欠点を有している。
【０００４】
そこで、特許文献１に記載のデジタルカメラでは、表示可能な複数の表示形態を全て切り替え対象とせずに、ユーザの希望する撮影情報を含む表示形態を予め複数設定しておき、切り替えボタンを操作することでそれらの表示形態を順に切り替えるようにしている。
【０００５】
【特許文献１】特開２００３−２５９１６３号公報
【発明の開示】
【発明が解決しようとする課題】
【０００６】
しかしながら、予め複数設定された複数の表示形態を切り替える場合でも、所望の表示形態を表示させるためには切り替えボタンを何回も操作する必要があり、素早く所望の表示形態を表示させることができなかった。
【課題を解決するための手段】
【０００７】
請求項１の発明によるデジタルカメラは、被写体像を撮像して画像信号を出力する撮像手段と、画像信号に基づく撮像画像とともに情報画像を重畳表示する表示装置と、情報画像の表示形態を選択するための複数の操作スイッチと、複数の表示形態に関する情報を、複数の操作スイッチの操作に関連付けて記憶する記憶部と、操作スイッチの操作により、該操作に関連付けられた情報を記憶部から読み出して、情報画像が読み出した情報に基づく表示形態となるように表示装置の表示を制御する制御手段とを備えたことを特徴とする。
請求項２の発明によるデジタルカメラは、被写体像を撮像して画像信号を出力する撮像手段と、画像信号に基づく撮像画像とともに情報画像を重畳表示する複数の表示装置と、情報画像の表示形態を選択するための複数の操作スイッチと、複数の表示装置に表示される情報画像の複数の表示形態に関する情報を、複数の操作スイッチの操作に関連付けて記憶する記憶部と、操作スイッチの操作により、該操作に関連付けられた情報を記憶部から読み出して、該情報に基づく情報画像の表示形態となるように表示装置の表示を制御する制御手段とを備えたことを特徴とする。
請求項３の発明は、請求項１または２に記載のデジタルカメラにおいて、ユーザの操作に基づいて、操作スイッチの操作に関連付けられた情報画像の表示形態に関する情報をマニュアル設定するための設定操作部と、設定操作部により情報画像の表示形態に関する情報が設定されると記憶部に記憶されている情報画像の表示形態に関する情報を、設定操作部により設定された情報画像の表示形態に関する情報に書き換える書き換え手段とを備えたものである。
請求項４の発明は、請求項１〜３のいずれか一項に記載のデジタルカメラにおいて、記憶部は、操作スイッチの操作回数に応じて異なる表示形態の情報を関連付けて記憶するものである。
請求項５の発明は、請求項１〜４に記載のデジタルカメラにおいて、情報画像の表示形態には、撮影条件を示す表示、撮影を補助するための表示および被写体情報を示す表示の少なくとも一つが表示要素として含まれていることを特徴とする。
【発明の効果】
【０００８】
本発明によれば、複数の表示形態に関する情報を複数の操作スイッチの操作に関連付けているので、従来よりも少ない操作回数で所望の表示形態への切り替えを行うことができる。
【発明を実施するための最良の形態】
【０００９】
以下、図を参照して本発明を実施するための最良の形態について説明する。図１は本発明によるデジタルカメラの一実施の形態を示すブロック図である。デジタルカメラは、撮像光学系１、撮像素子２、ＡＦＥ（Analog  Front  End）３、画像処理回路４、ＣＰＵ５、メインバス１５、ＤＲＡＭ６、フラッシュメモリ７、表示用ＬＣＤ８、ＬＣＤ駆動回路９、ＥＶＦ（電子ビューファインダ）１０、ＥＶＦ駆動回路１１、操作部１２、メモリカードスロット１３、操作スイッチ群１６を備えている。ＥＶＦ１０にはＬＣＤ（液晶表示装置）が用いられている。また、メモリカードスロット１３には、不揮発性記憶媒体であるメモリカード１４が着脱可能に装着されている。
【００１０】
撮影光学系１を通過した被写体光は、撮像素子２上に結像される。撮像素子２にはＣＣＤセンサやＣＭＯＳセンサなどのエリアセンサが用いられ、被写体像の明るさに応じた光電変換信号（撮像信号）を出力する。ＡＦＥ３は、ＣＤＳ（相関二重サンプリング）回路、ＡＧＣ（オートゲインコントロール）回路およびＡＤＣ（アナログ・デジタル変換回路）、タイミングジェネレータを含む。各回路には、タイミングジェネレータからのタイミング信号がそれぞれ供給される。
【００１１】
ＣＤＳ回路は画像信号の低周波ノイズ低減処理を行う。ＡＧＣ回路はゲインを調整することにより撮像信号のレベル調整を行う。アナログ処理された画像信号はＡＤＣによりデジタル信号に変換され、画像処理回路４に入力される。画像処理回路４は、デジタル信号を処理する回路であって例えばＡＳＩＣとして構成される。画像処理回路４は、ＡＦＥ３から出力されたデータに対して、ホワイトバランス（ＷＢ処理）、階調補正処理、色補正処理、フォーマット変換、圧縮処理等を施す。操作部１２に設けられたレリーズボタン（不図示）が全押しされると撮影処理が実行され、画像処理回路４により生成された画像データは、メモリカードスロット１３に装着されたメモリカード１４に記録される。
【００１２】
ＣＰＵ５は、カメラ全体の制御やＡＦ演算等の各種演算処理を行う。操作部１２には、後述する矢印ボタン１２１〜１２４や不図示のレリーズボタン、電源ボタン等の操作部材が設けられている。操作スイッチ群１６には、操作部１２に設けられた操作部材の操作に連動してオンオフする複数のスイッチが設けられている。ＣＰＵ５は、操作スイッチ群１６に設けられたスイッチの状態を検出し、その検出結果に基づいて各種制御を行う。ＤＲＡＭ６は、画像処理や画像圧縮処理等の処理途中や処理後のデータを一時的に格納するためのバッファメモリとして用いられる揮発性記録媒体である。
【００１３】
ＥＶＦ１０は、撮像素子２で撮像された画像をスルー画として逐次表示するファインダ装置である。ＥＶＦ１０は、ＥＶＦ駆動回路１１によって駆動制御される。一方、カメラボディの背面に設けられた表示用ＬＣＤ８は、撮像画像のスルー画表示、メモリカード１３に記録された画像データの再生表示、各種設定画面の表示などに用いられる。表示用ＬＣＤ８は、ＬＣＤ駆動回路９によって駆動制御される。
【００１４】
撮影を行う場合、ＥＶＦ１０または表示用ＬＣＤ８に表示されたスルー画を参考に、ユーザは構図の設定を行う。その際、ユーザの好みに応じた情報画像を、撮影画像に重畳表示させることができる。情報画像には、絞り値、シャッタ秒時、連写または単写の設定、シーンモード等の撮影条件に関する情報表示や、グリッドパターンやポートレートモードの人物枠等の撮影を補助するための補助情報などの表示が含まれる。
【００１５】
図２はカメラの背面側を示す図である。カメラ２０の上面に設けられたファインダ２１にはＥＶＦ１０が備えられている。一方、表示用ＬＣＤ８はカメラ背面に設けられている。撮影を行う撮影モード時にモニターボタン１２０を操作することで、スルー画表示を行うモニタとして、ＥＶＦ１０および表示用ＬＣＤ８のいずれかを選択することができる。メニューボタン１２６を操作すると、表示用ＬＣＤ８はメニュー画面を表示する。また、表示用ＬＣＤ８の右側には、矢印ボタン１２１〜１２４、ＯＫボタン１２５が配置されている。モニターボタン１２０、矢印ボタン１２１〜１２４、ＯＫボタン１２５およびメニューボタン１２６などの操作ボタンは、図１に示す操作部１２に設けられた操作部材を構成する。
【００１６】
各矢印ボタン１２１〜１２４には、複数の操作機能が割り当てられている。撮影モードにおける初期設定では、例えば、上矢印ボタン１２１には露出補正、下矢印ボタン１２２にはマクロ撮影、左矢印ボタン１２４にはセルフタイマーやフラッシュの発光モードが割り当てられている。
【００１７】
一方、詳細は後述するが、情報画像の表示形態の切り替えを行う状態においては、異なる表示形態が各矢印ボタン１２１〜１２４に対して割り当てられる。例えば、モニターボタン１２０を押下しつつこれらの矢印ボタン１２１〜１２４を押下することで、表示形態の切り替えを行う状態となる。また、表示用ＬＣＤ８にメニュー画面を表示させて各種設定を行う場合には、矢印ボタン１２１〜１２４はカーソルの移動や、項目選択等に用いられる。
【００１８】
図３は表示用ＬＣＤ８に表示される情報画像の例を示したものであり、（ａ）〜（ｄ）に４種類の表示形態を示した。図３（ａ）は上矢印ボタン１２１に割り当てられた表示形態を示しており、絞り値Ａが撮影画像に重畳して表示されている。図３（ｂ）は下矢印ボタン１２２に割り当てられた表示形態を示しており、情報画像には何も表示されていない。図３（ｃ）は右矢印ボタン１２３に割り当てられた表示形態を示しており、絞り値ＡおよびグリッドＧが表示されている。図３（ｄ）は左矢印ボタン１２４に割り当てられた表示形態を示しており、絞り値ＡおよびヒストグラムＨが表示されている。
【００１９】
例えば、表示用ＬＣＤ８にスルー画が表示されているときに、モニターボタン１２０を押下しつつ上矢印ボタン１２１を押下すると、図３（ａ）に示すような画面表示となり、その後、モニターボタン１２０を押下しつつ右矢印ボタン１２３を押下すると、図３（ｃ）に示す画面表示に切り替わる。
【００２０】
このような各矢印ボタン１２１〜１２４に割り当てられた表示形態の設定は、表示用ＬＣＤ８に設定画面を表示し、その設定画面によりユーザが任意に行うことができる。図４は設定画面の一例を示したものである。表示形態に含まれる表示要素としては、撮影条件に関する情報表示（絞り値）、グリッド、ヒストグラムがある。表の上半分にＥＶＦ１０に関する設定状態、下半分に表示用ＬＣＤ８に関する設定状態が表示されている。
【００２１】
図４においては、矩形のチェックボックス３０が、縦６行、横４列の配列で合計２４個表示されている。上矢印ボタンと表示された列の上から４行目のチェックボックス３０には、チェックマーク３１が表示されている。これは、表示用ＬＣＤ８に撮影画像をスルー画表示した際に、モニターボタン１２０を押下しつつ上矢印ボタン１２１を押下すると、図３（ａ）に示すような表示画像（情報表示＝絞り値）が重畳表示されることを意味している。
【００２２】
図４の表示用ＬＣＤ８に関する設定、すなわち、チェックボックス３０に対するチェックマーク３１の入れ方は、図３（ａ）〜（ｄ）に示す情報画像が表示される設定となっている。ＥＶＦ１０に関しても表示用ＬＣＤ８の場合と同様であって、矢印ボタン１２１〜１２４を押下した場合に表示される表示要素を、表示用ＬＣＤ８の設定状態と独立して設定することができる。図４に示す例では、右矢印ボタン１２３および左矢印ボタン１２４の設定状態が、ＥＶＦ１０と表示用ＬＣＤ８とで異なっている。
【００２３】
図４に示す例では、ＥＶＦ１０と表示用ＬＣＤ８に関して縦に並んだ６つのチェックボックス３０のチェック状態が、一つの表示形態の設定を表している。そのため、６つのチェックボックス３０のチェック状態で表される一つの表示形態は、ＥＶＦ１０の情報画像の表示形態と表示用ＬＣＤ８の情報画像の表示形態とを合わせた一つの表示形態を表している。そして、各矢印ボタン１２１〜１２４に対して、それぞれ異なる表示形態が割り当てられている。
【００２４】
例えば、３つの表示装置にそれぞれ３つの表示要素を表示する場合には、９つのチェックボックス３０のチェック状態が一つの表示形態を表すことになる。なお、表示要素の数は３つに限らず４つ以上であっても良い。また、表示装置毎に表示要素の数が異なっていても良い。図５は、表示装置が表示用ＬＣＤ８の一つだけの場合の設定画面を示す図である。
【００２５】
図４に示す４種類の表示形態の設定情報は、各矢印ボタン１２１〜１２４の操作で各々オンオフする４つのスイッチの操作に関連付けて、初期設定としてフラッシュメモリ７に予め記憶しておく。そして、後述するように、この設定情報をフラッシュメモリ７から読み出して、設定内容をユーザの好みに応じて設定変更すると、フラッシュメモリ７の設定情報が変更後の設定情報に書き換えられる。もちろん、変更後の設定情報をユーザ設定として初期設定とは別にフラッシュメモリ７に記憶するようにしても良い。
【００２６】
なお、本実施の形態の説明における「各矢印ボタン１２１〜１２４に各表示形態を割り当てる」ことは、「各矢印ボタン１２１〜１２４の操作で各々オンオフする各スイッチの操作に、各表示形態を関連付ける」ことと同一の内容を表している。
【００２７】
図４，５に示すように表示形態が４種類の場合には、４つの矢印ボタン１２１〜１２４の各々に一つの表示形態を割り当てればよいが、より多数の表示形態がある場合には、割り当てるべき操作ボタンの数も増えてしまう。しかし、スペースの制約により必要な数だけ操作ボタンを設けられない場合がある。そのような場合には、操作回数に応じて異なる表示形態を割り当てるようにすることで、操作回数を従来よりも抑えつつ多種類の表示形態の切り替えを行うことができる。例えば、８種類の表示形態がある場合、８種類の表示形態の設定情報は、各矢印ボタン１２１〜１２４の操作で各々オンオフする４つのスイッチの操作回数に関連付けてフラッシュメモリ７に記憶されることになる。
【００２８】
図６は、表示形態が８種類で、それらを４つの矢印ボタン１２１〜１２４で切り替える場合の設定画面を示したものである。例えば、ＥＶＦ１０の場合、モニターボタン１２０を押下しつつ上矢印ボタン１２１を１回押下すると絞り値が表示され、モニターボタン１２０を押下しつつ上矢印ボタン１２１を所定時間間隔以下で２回連続して押下するとシャッタ秒時が表示されることになる。また、モニターボタン１２０を押下しつつ左矢印ボタン１２４を１回押下すると、絞り値とＧ色に関するヒストグラムとが表示され、モニターボタン１２０を押下しつつ左矢印ボタン１２４を２回連続して押下すると、絞り値とＢ色に関するヒストグラムとが表示されることになる。
【００２９】
前述したように、図４〜６に示す設定内容はユーザが任意に設定することができる。図７は設定動作処理を説明するフローチャートである。この設定動作処理は、不図示のＲＯＭに予め記憶されている設定動作処理プログラムをＣＰＵ５で実行することにより行われる。図７に示す処理は、メニューボタン１２６を操作して図４〜６に示すような設定画面に入るとスタートする。
【００３０】
ステップＳ１では、ＣＰＵ５は、フラッシュメモリ７に記憶されている設定情報を読み出す。ステップＳ２において、ＣＰＵ５は、読み出した設定情報に基づく設定画面を表示用ＬＣＤ８もしくはＥＶＦ１０に表示する。ステップＳ３において、ＣＰＵ５は、矢印ボタン１２１〜１２４に対応するスイッチの状態を検出し、矢印ボタン１２１〜１２４が操作されたか否かを判定する。ステップＳ３はボタン操作が有りと判定されるまで繰り返し実行され、ボタン操作があって肯定判定されるとステップＳ４へ進む。
【００３１】
ステップＳ４では、ＣＰＵ５は、不図示のカーソルが図４の終了アイコン４０の位置にあるときに、ＯＫボタン１２５（図２参照）が押下されたか否かを判定する。カーソルは、ボタン１２１〜１２４を操作することにより、表示画面内に配列された複数のチェックボックス３０間を上下左右に移動する。ステップＳ４において、ＣＰＵ５は、カーソルが終了アイコン４０の位置にあるときにＯＫボタン１２５が押下されたと判定するとステップＳ５へ進み、否定判定すると図８のステップＳ１１へと進む。ステップＳ５において、ＣＰＵ５は、表示用ＬＣＤ８もしくはＥＶＦ１０によるメニュー画面の表示を終了する。
【００３２】
ステップＳ６では、ＣＰＵ５は、スルー画表示を表示用ＬＣＤ８およびＥＶＦ１０のいずれで行うかの表示フラグが、ＥＶＦ１０か表示用ＬＣＤ８かを判定する。例えば、メニューボタン１２６を操作する前、すなわち、メニュー画面に入る前に、ＥＶＦ１０でスルー画表示が行われていた場合には、表示フラグの状態はＥＶＦ１０となっている。その場合、ステップＳ６で肯定判定されてステップＳ７へ進む。一方、表示フラグが表示用ＬＣＤ８となっている場合には、否定判定されてステップＳ６からステップＳ９へと進む。
【００３３】
ステップＳ７において、ＣＰＵ５は、操作された矢印ボタンに割り当てられた表示形態の情報のうち、ＥＶＦ１０の表示形態に関する設定値をフラッシュメモリ７から読み出す。そして、ステップＳ８において、ＣＰＵ５は、ＥＶＦ１０に撮影画像とともに、ステップＳ７で読み出した設定情報に基づく情報画像を重畳表示する。
【００３４】
一方、ステップＳ６からステップＳ９へと進んだ場合には、ステップＳ９において、ＣＰＵ５は、操作された矢印ボタンに割り当てられた表示形態の情報のうち、表示用ＬＣＤ８の表示形態に関する設定値をフラッシュメモリ７から読み出す。そして、ステップＳ１０において、ＣＰＵ５は、表示用ＬＣＤ８に撮影画像とともに、ステップＳ９で読み出した設定値に基づく情報画像を重畳表示する。
【００３５】
次に、ステップＳ４において、カーソルが終了アイコン４０の位置にないと判定されて、図８のステップＳ１１へと進んだ場合について説明する。ステップＳ１１では、ＣＰＵ５は、矢印ボタン１２１〜１２４が操作されたか否かを判定する。ＣＰＵ５は、矢印ボタン１２１〜１２４が操作されたと判定した場合にはステップＳ１２へ進み、ボタン操作に基づいてカーソルを移動し、その後、図７のステップＳ４へと戻る。
【００３６】
一方、ステップＳ１１においてボタン操作がないと判定された場合にはステップＳ１３に進み、ＣＰＵ５は、カーソルが終了アイコン４０の位置にないときにＯＫボタン１２５が押下されたか否かを判定する。ステップＳ１３で、肯定判定されるとステップＳ１４へ進み、否定判定されると図７のステップＳ４へと戻る。ステップＳ１４では、ＣＰＵ５は、カーソル位置のチェックボックス３０のチェック状態を切り替える。すなわち、チェックマーク３１が表示されていない場合にはチェックマーク３１を表示し、チェックマーク３１が表示されている場合にはチェックマーク３１を非表示とする。
【００３７】
ステップＳ１５では、ＣＰＵ５は、ステップＳ１４でチェック状態を切り替えた表示要素について表示・非表示の設定を変更する。そして、変更後の設定をフラッシュメモリ７に記憶し、図７のステップＳ４へと戻る。例えば、図４の右矢印ボタン１２３に割り当てられた表示形態では、表示用ＬＣＤ８に関する設定は、情報表示とグリッドとを表示する設定となっている。この設定状態からグリッドのチェックマーク３１を外すと、グリッドは非表示の設定に変更される。そして、変更された設定内容（縦に並んだ６つのチェックボックス３０のチェック状態）が、表示形態の情報として右矢印ボタン１２３に関連付けられてフラッシュメモリ７に記憶される。
【００３８】
次に、図９のフローチャートを参照して、表示の切り替え動作について説明する。図９に示す切り替え動作処理は、不図示のＲＯＭに予め記憶されている切り替え動作処理プログラムをＣＰＵ５で実行することにより行われる。図９に示す処理は、モニターボタン１２０を押下しつつ矢印ボタン１２１〜１２４のいずれかが押下されるとスタートする。
【００３９】
図９において、ステップＳ１０１〜Ｓ１０５の処理は、上矢印ボタン１２１が押下された場合の処理を示す。ステップＳ１１１〜Ｓ１１５の処理は、下矢印ボタン１２２が押下された場合の処理を示す。ステップＳ１２１〜Ｓ１２５の処理は、右矢印ボタン１２３が押下された場合の処理を示す。ステップＳ１３１〜Ｓ１３５の処理は、左矢印ボタン１２４が押下された場合の処理を示す。
【００４０】
ステップＳ１００において、ＣＰＵ５は、モニターボタン１２０が押下された状態で上矢印ボタン１２１が押下されたか否かを判定する。ステップＳ１００で肯定判定されるとステップＳ１０１へ進み、否定判定されるとステップＳ１１０へと進む。先ず、ステップＳ１０１へと進んだ場合について説明する。ステップＳ１０１では、ＣＰＵ５は、表示フラグがＥＶＦ１０に設定されているか否かを判定し、ＥＶＦ１０に設定されていると判定するとステップＳ１０２へ進む。一方、ステップＳ１０１でＥＶＦ１０に設定されていないと判定すると、すなわち表示ＬＣＤ８の設定であると判定すると、ステップＳ１０４へ進む。
【００４１】
ステップＳ１０２では、ＣＰＵ５は、上矢印ボタン１２１に割り当てられている表示形態の設定情報うち、ＥＶＦ１０に関する設定値をフラッシュメモリ７から読み出す。そして、ステップＳ１０３において、ＣＰＵ５は、ＥＶＦ１０に撮影画像のスルー画表示をするとともに、ステップＳ１０２で読み出した設定値に基づく情報画像を重畳表示する。
【００４２】
一方、ステップＳ１０１からステップＳ１０４へと進んだ場合には、ステップＳ１０４において、ＣＰＵ５は、上矢印ボタン１２１に割り当てられている表示形態の設定情報のうち、表示用ＬＣＤ８に関する設定値をフラッシュメモリ７から読み出す。そして、ステップＳ１０５において、ＣＰＵ５は、表示用ＬＣＤ８に撮影画像のスルー画表示をするとともに、ステップＳ１０４で読み出した設定値に基づく情報画像を重畳表示する。
【００４３】
また、ステップＳ１００で否定判定されてステップＳ１１０へ進んだ場合、ステップＳ１１０において、ＣＰＵ５は、モニターボタン１２０が押下された状態で下矢印ボタン１２２が押下されたか否かを判定する。ステップＳ１１０で肯定判定されるとステップＳ１１１へ進み、否定判定されるとステップＳ１２０へと進む。ステップＳ１１１では、ＣＰＵ５は、表示フラグがＥＶＦ１０か否かを判定する。
【００４４】
なお、ステップＳ１１１からステップＳ１１５までの処理は、フラッシュメモリ７から読み出す設定情報が、下矢印ボタン１２２に割り当てられた表示形態に関するものである点を除いて、上述したステップＳ１０１からステップＳ１０５までの処理と同様の処理を行う。そのため、詳細説明は省略するが、表示フラグがＥＶＦ１０の場合、ＣＰＵ５は、下矢印ボタン１２２に割り当てられている表示形態の設定情報のうち、ＥＶＦ１０に関する設定値に基づいて情報画像を重畳表示する（Ｓ１１３）。また、表示フラグが表示用ＬＣＤ８の場合、ＣＰＵ５は、下矢印ボタン１２２に割り当てられている表示形態の設定情報のうち、表示用ＬＣＤ８に関する設定値に基づいて情報画像を重畳表示する（Ｓ１１５）。
【００４５】
ステップＳ１１０で否定判定されてステップＳ１２０へ進んだ場合、ステップＳ１２０において、ＣＰＵ５は、モニターボタン１２０が押下された状態で右矢印ボタン１２２が押下されたか否かを判定する。ステップＳ１２０で肯定判定されるとステップＳ１２１へ進み、否定判定されるとステップＳ１３１へと進む。
【００４６】
なお、ステップＳ１２１からステップＳ１２５までの処理は、フラッシュメモリ７から読み出す設定情報が、右矢印ボタン１２３に割り当てられた表示形態に関するものである点を除いて、上述したステップＳ１０１からステップＳ１０５までの処理と同様の処理を行う。すなわち、表示フラグがＥＶＦ１０の場合、ＣＰＵ５は、右矢印ボタン１２３に割り当てられている表示形態の設定情報のうち、ＥＶＦ１０に関する設定値に基づいて情報画像を表示する（Ｓ１２３）。また、表示フラグが表示用ＬＣＤ８の場合は、ＣＰＵ５は、右矢印ボタン１２３に割り当てられている表示形態の設定情報のうち、表示用ＬＣＤ８に関する設定値に基づいて情報画像を重畳表示する（Ｓ１２５）。
【００４７】
また、ステップＳ１３１からステップＳ１３５までの処理についても、フラッシュメモリ７から読み出す設定情報が、左矢印ボタン１２４に割り当てられた表示形態に関するものである点を除いて、上述したステップＳ１０１からステップＳ１０５までの処理と同様の処理を行う。すなわち、表示フラグがＥＶＦ１０の場合、ＣＰＵ５は、左矢印ボタン１２４に割り当てられている表示形態の設定情報のうち、ＥＶＦ１０に関する設定値に基づいて情報画像を重畳表示する（Ｓ１３３）。表示フラグが表示用ＬＣＤ８の場合、ＣＰＵ５は、左矢印ボタン１２４に割り当てられている表示形態の設定情報のうち、表示用ＬＣＤ８に関する設定値に基づいて情報画像を重畳表示する。（Ｓ１３５）。
【００４８】
上述した実施の形態では、矢印ボタン１２１〜１２４に４種類または８種類の表示形態を割り当てる場合を例に説明した。図１０は、表示形態を指定する操作部材の変形例を示したものである。図１０（ａ）に示す操作部材の場合、ＯＫボタン５９の周囲を囲むように８つの矢印ボタン５１〜５８が設けられている。そのため、各矢印ボタン５１〜５８に１つの表示形態を割り当てることで、８種類の表示形態の切り替えができる。さらに、図６の場合と同様に、操作回数が１回の場合と２回の場合とに異なる表示形態を割り当てることで、１６種類の表示形態の切り替えが可能となる。ＯＫボタン５９は、上述したＯＫボタン１２５と同様の機能が割り当てられている。
【００４９】
図１０（ｂ）の左側に示す例では、ＯＫボタン６１を囲むようなリング状の操作部材６０が設けられ、操作部材６０には三角形の矢印マーク６０ａ〜６０ｄが表示されている。操作部材６０の各矢印マーク６０ａ〜６０ｄの位置を押下すると、各矢印マーク６０ａ〜６０ｄに対応して設けられた各スイッチのオンオフ状態が変化する。この場合も、４種類の表示形態の設定情報が、各スイッチの操作に関連付けてフラッシュメモリ７に記憶されている。図１０（ｂ）の右側に示す例では、操作部材６０に８つの矢印マーク６０ａ〜６０ｈが表示されており、矢印マーク６０ａ〜６０ｈに対応して８つのスイッチが設けられている。そのため、８種類の表示形態の設定情報が、各スイッチの操作に関連付けてフラッシュメモリ７に記憶されている。
【００５０】
図１０（ｃ）は、押しボタン方式の操作部材に変えて、ジョイスティック７０を用いた場合を示す。図１０（ｃ）の左側に示す例では、ジョイスティック７０は、矢印で示す上下左右の４方向に対して操作することができる。各操作に対してオンオフするスイッチがそれぞれ設けられており、４種類の表示形態の設定情報が、各スイッチの操作に関連付けてフラッシュメモリ７に記憶されている。図１０（ｃ）の右側に示す例では、ジョイスティック７０は、矢印で示す８方向に操作することができる。各操作に対してオンオフするスイッチがそれぞれ設けられており、８種類の表示形態の設定情報が、各スイッチの操作に関連付けてフラッシュメモリ７に記憶されている。
【００５１】
以上説明したように、本実施の形態では、一つまたは複数の表示装置の情報画像に表示される表示要素の表示・非表示設定状態を、表示装置の数によらず一括して一つの表示形態としている。そして、各表示形態の設定情報を、矢印ボタン１２１〜１２４等の操作部材を操作することでオンオフする複数のスイッチの操作に関連付けてフラッシュメモリ７に記憶するようにした。そのため、操作部材を何回も操作しなくとも、複数の操作部材の内の一つを操作するだけで、表示形態の切り替えを行うことができる。その結果、従来よりも少ない操作回数で所望の表示形態への切り替えを行うことが可能となる。さらに、スイッチ操作の回数に応じて異なる表示形態を関連付けることにより、操作回数を抑えつつより多数の表示形態に対応することが可能となる。
【００５２】
なお、上述した実施の形態では、モニターボタン１２０を押下しつつ矢印ボタン１２１〜１２４を押下することで表示形態の切り替えを行ったが、切り替え操作の形態はこれに限らない。例えば、モニターボタン１２０を長押しすることで表示形態切り替え可能なモードになるような設定とし、そのモードになった場合には、矢印ボタン１２１〜１２４を単独操作するだけで表示形態の切り替え可能とする。そして、再度モニターボタン１２０を長押しすることで、そのモードに入る前の状態に戻るようにする。
【００５３】
さらに、上述した例において、モニターボタン１２０の長押しにより、表示用ＬＣＤ８に図４の設定画面と同様の画面を表示するようにしても良い。ユーザは、その画面で表示形態と操作部材との対応関係を確認することで、所望の表示形態とするにはどの操作部材を操作すれば良いかを容易に知ることができる。そのため、表示形態と操作部材との対応関係を良く知らない不慣れなユーザであっても、簡単に表示形態の切り替えを行うことができる。
【００５４】
また、上述した矢印ボタン１２１〜１２４には、表示形態の切り替えだけではなく他の操作機能も兼用して割り当てられていたが、表示切り替え専用の操作部材を設けてもかまわない。その場合には、専用操作部材の操作だけで表示形態の切り替えを行うことができる。
【００５５】
上述した実施の形態では、撮影モードにおける情報画面の切り替えについて説明したが、カメラの他のモード、例えば、再生モードや、通信モードや、プリントモードなどにおいても同様に適用することができる。例えば、プリントモードにおけるプリント画像情報の切り替えに適用できる。情報画面には、プリント枚数の画面、撮影画像情報（撮影日時、シャッタ秒時、絞り値、ユーザコメント情報など）の画面、プリント情報（用紙サイズ、インク状態など）の画面などがある。また、通信モードに適用した場合、通信状態確認画面、通信設定画面、転送する画像の情報画面などがある。
【００５６】
なお、以上の説明はあくまでも一例であり、本発明の特徴を損なわない限り、本発明は上記実施の形態に何ら限定されるものではない。
【図面の簡単な説明】
【００５７】
【図１】本発明によるデジタルカメラの一実施の形態を示すブロック図である。
【図２】カメラの背面側を示す図である。
【図３】矢印ボタン１２１〜１２４に割り当てられた表示形態の一例を示す図であり、（ａ）は上矢印ボタン１２１の場合、（ｂ）は下矢印ボタン１２１の場合、（ｃ）は右矢印ボタン１２３の場合、（ｄ）は左矢印ボタン１２４の場合を示す。
【図４】設定画面の一例を示す図である。
【図５】表示ＬＣＤ８のみの場合の設定画面を示す図である。
【図６】１回操作だけでなく、２回操作にも表示形態を割り当てた場合の設定画面を示す図である。
【図７】設定動作処理を説明するフローチャートである。
【図８】図７のフローチャートに続く処理を示すフローチャートである。
【図９】表示の切り替え動作を説明するフローチャートである。
【図１０】操作部材の他の例を示す図である。
【符号の説明】
【００５８】
１：撮像光学系、２：撮像素子、３：ＡＦＥ（Analog  Front  End）、４：画像処理回路、５：ＣＰＵ、６：ＤＲＡＭ、７：フラッシュメモリ、８：表示用ＬＣＤ、９：ＬＣＤ駆動回路、１０：ＥＶＦ（電子ビューファインダ）、１１：ＥＶＦ駆動回路、１２：操作部、１３：メモリカードスロット、１４：メモリカード、１５：メインバス、１６：操作スイッチ群、２０：カメラ、２１：ファインダ、３０：チェックボックス、３１：チェックマーク、４０：終了アイコン、６０：リング部材、７０：ジョイスティック、１２０：モニターボタン、５１〜５８，１２１〜１２４：矢印ボタン、５９，６１，１２５：ＯＫボタン、１２６：メニューボタン
【図１】
2009200688.tif 000003
【図２】
2009200688.tif 000004
【図３】
2009200688.tif 000005
【図４】
2009200688.tif 000006
【図５】
2009200688.tif 000007
【図６】
2009200688.tif 000008
【図７】
2009200688.tif 000009
【図８】
2009200688.tif 000010
【図９】
2009200688.tif 000011
【図１０】
2009200688.tif 000012